(57)【要約】【課題】モーター固定子の磁極片を絶縁部及び回路板に対して安定して固定する。【解決手段】モーター固定子の構造中、ケイ素鋼板からなる磁極片を挟んで固定する一対の絶縁部の一方の絶縁部３０において、第１凸板１７を設けて磁極片を重ねて収容する収容部１７１を形成すると共にその内側に磁極片を連ねる環状のフレーム部を嵌合する嵌合部１８を凸設し、その反対側の主体部１１を延長してその延長端縁に弾性係合片１１１を形成すると共に、その両サイドにスリットを形成して、該主体部に回路板の開口を嵌合固定するとき、該弾性係合片の弾性撓み変形の自由度を大きくして、その破損を防止する。【選択図】図２
0003127313.tif 000002
【実用新案登録請求の範囲】
【請求項１】
モーター固定子の絶縁部構造において、
環状フレーム部を設けてその半径方向に放射状に複数の極柱を形成してその先端に円周方向に延長して磁極となる極面を隣接する極面間に一定間隔を設けて形成した磁極片に対して、該磁極片の形状に倣った形状とした一対の絶縁部で挟んでコイル巻きしてその一方の絶縁部を回路板に固定するため、その一方の絶縁部中央部に突出して延長する中空円筒状の主体部を設けて該磁極片の環状フレーム部に対する嵌合部とし、上記磁極片の形状に倣って該主体部から半径方向に放射状に延長する複数の延伸板を設けて、その先端部に円周方向に延長すると共に相互に間隔を設けて配置される外環板を設け、
また、上記該主体部の端縁外周から突出する複数の弾性係合片を設けると共にその両側にスリットを形成して、回路板を該中空円筒状の主体部に嵌合して該弾性係合片を係合する際の弾性撓み変形の自由度を大きくし、
また、該主体部の反対側には磁極片を収容するための凸板で囲う凹部を形成すると共にその凸板の主体部中空部に向けて該凸板から磁極片の環状フレーム部を嵌合する嵌合部を配列して突出形成した、
ことを特徴とするモーター固定子の絶縁部。
【請求項２】
前記各延伸板の凸板の反対側には、前記延伸板の端縁部に位置して巻き線固定用の第２の凸板を設けたことを特徴とする請求項１記載のモーター固定子の絶縁部。
【請求項３】
前記主体の外周には、該主体の凸伸する端縁より高い、該主体に嵌合する回路板開口の溝に係合する固定柱を設けたことを特徴とする請求項１記載のモーター固定子の絶縁部構造。
【請求項４】
前記延伸板の両側に沿って形成した凸板によって磁極片の収容凹部を構成したことを特徴とする請求項１記載のモーター固定子の絶縁部構造。
【考案の詳細な説明】
【技術分野】
【０００１】
本考案は、「モーター固定子の絶縁部構造」に関し、特に、磁極片を外周面に露出した構造に適し、磁極片を固定する絶縁部の変形を防止し、これらに対する回路板の弾性係合固定に適したモーター固定子の絶縁部構造に関する。
【背景技術】
【０００２】
一般に従来の絶縁部構造は、中華人民共和国知識産権出版社公告の出願番号02201611.2の「直流モーター固定子の絶縁カバー構造」実用新案等の例に見ることができる。
これらのモーター固定子の絶縁カバーは、筒状の本体と、本体から半径方向に向かい放射状に延長する延伸板とからなり、各延伸板は、磁極片の収容凹部を有し、収容凹部の断面はコの字型を形成し、収容凹部の溝口の両側終端は、突出するラッチ部により絶縁体カバーと磁極片を簡単に結合させることができる。
【０００３】
但し、上記の技術には使用上に問題が存在し、収容凹部内に収容される磁極片が、ラッチ部により磁極片の最下部をラッチすることにより、磁極片を軸向き方向に安定固定設置させることができるが、主体の寸法が、製造時の誤差により一致せず、磁極片のフレーム部が主体内の輻射状方向に緊密に接合できなくなり、モーターが回転する時、磁極片は回転の影響を受けて絶縁カバー内の輻射状方向に震動し、延伸板上に巻かれたエナメル線を破断させるだけでなく、騒音を増加させ、更に、絶縁カバーがケイ素鋼からなる磁極片を固定する固定部が薄いことにより、容易に変形が生じる。
【０００４】
また、従来の絶縁カバーと回路板の結合は、本体外部に回路板とフックさせるフック部を有し、フックの外径が、回路板がフックできる内径よりも大きいことにより、結合時に破壊性を伴う方式で、フックを回路板上に強制的にフックするので、絶縁部と回路板の損壊等の問題が起こり易くなる。
【０００５】
【特許文献１】特開２００５−１７７３２６号公報
【特許文献２】特開平２−２９９４４７号公報
【考案の開示】
【考案が解決しようとする課題】
【０００６】
上述の問題を解決する為、本考案は、磁極片を組み込んだモーター固定子側に回路板に係合固定するため、突出する弾性係合片を有する絶縁部を設けて、該弾性係合片の両側にスリットを設けて撓み変形に範囲を大きくして、弾性係合片の破断を防止することを目的とする。
【０００７】
本考案は、更に、磁極片を固定する絶縁部中心に磁極片を固定する嵌合部を設けてその変形を防止することにより、磁極片を第１絶縁部内に安定固定することを目的とする。
【課題を解決するための手段】
【０００８】
本考案は、磁極片を挟んでコイル巻きする絶縁部に一方に回路板に嵌合固定するための一側に突出延長する中空円筒状の第１主体を設け、第１主体は、該中空構造の第１孔、第１主体の外壁に設けられる輻射状に延伸する複数の第１延伸板、各第１延伸板の終端から両側に向かって延伸する第１外環板を有し、第１主体の突出延長する端縁には第１孔に沿って突出する複数の弾性係合片を設けると共にその両側にスリットを設け、第１主体の他側には、その外周に沿って各第１延伸板の外側から第１外環板内側まで第１凸板を設けて上記磁極片を囲んで収容する収容部を形成し、第１凸板は内側の中空孔に向けて環状に配列する凸部を設けて磁極片を嵌合して固定する。
【考案の効果】
【０００９】
本考案が提供するモーター固定子の絶縁構造は、回路板を嵌合固定する円筒状の主体部の一端縁に突出する弾性係合片を有する絶縁部を提供し、前記弾性係合片の両側には、スリットを設けて、弾性片の撓み変形の自由度を増加し、更に弾性的に回路板に係合固定し、弾性係合片の破断を防止する。
【００１０】
本考案が提供するモーター固定子の絶縁構造は、更に、第１凸板の絶縁部中心に向かう箇所に第１嵌合部を設け、第１凸板の厚度を増加し、第１凸板の変形を防止するとともに、磁極片を第１絶縁部内に安定固定させる。
【考案を実施するための最良の形態】
【００１１】
本考案は、「モーター固定子の絶縁部構造」に関し、図１に示すように、第１絶縁部１０を有する。
第１絶縁部１０は、一側に凸伸する円筒状の第１主体１１を有し、内部は空洞状の第１孔１１１であって、その端縁外周に沿って突出する複数の弾性係合片１２を形成し、各弾性係合片１２の両側にスリット１３を設けて該係合片の撓み変形を可能とし、さらにその外周面には、その端縁から突出する高い複数の固定柱１４を設ける。
【００１２】
第１絶縁部１０の該第１主体１１外周から半径方向に放射状に複数の第１延伸板１５を延長して形成する。また、該大延伸板先端には複数の第１外環板１６を円周方向に延長して形成し、隣接する外環板同士の間には一定の間隔１６１を置いて配列する。
【００１３】
図２に示すように、上記第１主体１１の反対側において、隣接する各第１延伸板１５の間をその端縁に沿って、第１外環板１６に至まで第１凸板１７を凸設して、それらによって囲む第１収容凹部１７１を構成する
また、第１凸板１７の第１孔１１１内側に向けて、厚みを増した第１嵌合部１８を形成する。
さらに、第１延伸板１５の第１凸板１７の反対側先端には、第２凸板１９を設ける。
【００１４】
図３，４，５に示すように、珪素鋼片からなる磁極片３０は、積層した鋼片からなり、上記の第１絶縁部１０と組み合わされる。
磁極片３０の各極柱３１は、第１絶縁部１０の第１延伸板１５に接して重ねられると共に延伸板１５によって形成された上記収容凹部１７１内に配置され、その外周の極面３３は、第１外環板１６外周面に合致する。
また、磁極片３０の中央部には第１主体１１の第１孔１１１内に位置して上記第１嵌合部内に嵌合する環状のフレーム部３２を有し、上記の各極柱を連結する。
【００１５】
前記第１絶縁部１０に相対して磁極片３０の反対側に組立てる第２絶縁部２０を図６，７に示すように構成する。
第２絶縁部２０に構造は、ほぼ上記第１絶縁部１０と同様であるが、第１絶縁部１０にある第１主体を延長した構造がない点で異なる。
すなわち、円筒状の第２主体２１、その内部空洞をなす第２孔２２、第２主体外周から半径方向に放射状に延長する複数の第２延伸板２３、その先端に形成した第２外環板２４とそれらの間に間隔２４１を設けた構造は共通する。
さらに、これらの第２延伸板に第３凸板によって囲まれる第２収容凹部を形成し、その先端には同様に第４凸板２６を設ける。
【００１６】
磁極片３０は上記の第１絶縁部１０と同様に第２絶縁部２０と組み合わされ、その環状フレーム部３２の一部分は第２主体２１の第２孔２２内に位置し、各極柱３１は各延伸板２５の収容凹部２５１内に位置し、極面３３は、第２外環板２４外周と面一を形成する。
【００１７】
図６，７，８に示すように、第１、第２外環板１６，２４間の隙間１６１，２４１からエナメル線４０を挿入してコイル線を巻き、エナメル線４０が、第１延伸板１５および第２延伸板２３の周囲表面上に巻かれ、各第１延伸板１５および第２延伸板２３の末端の第２、４凸板１９，２６により、巻かれた後のエナメル線４０を第１，２延伸板１５，２３の周囲表面上に固定させ、外部に滑り出ないようにする。
【００１８】
上記のとおりコイル巻き線作業が終了後、図１，７，８，９，１０，１１に示すように、キャップ孔５１を開設する回路板５０を第１絶縁部１０の第１主体１１の凸伸端に対応させる。
弾性係合片１２からなる円弧の外径は、該キャップ孔５１の内径よりも僅かに大きく、また、キャップ孔５１の内側には、前記定位柱１４に対応して固定凹溝５２を設けられているため、第１主体１１を回路板５０方向に押し込むことにより、弾性係合片材１２が、キャップ孔５１内に円滑に弾性挿入されるともに、回路板５０の他側に係合し、同時に定位柱１４は固定凹溝５２内に対応して挿入され、回路板５０は第１絶縁部１０に対して安定して固定される。
【００１９】
上記弾性係合片１２が回路板５０を弾性係合する時、その両側にはそれぞれスリット１３が形成されているため、弾性係合片１３の弾性撓み変形の自由度が大きく、確実に回路板５０を係合固定し、弾性係合片１２が、弾性変形できずに破断する事態は回避される。回路板５０がモーターによる振動によってエナメル線４０の破断が発生しないようにし、回路板５０をファンフレーム台座上に安定固定し、動作時の脱落の発生を防止する。
【００２０】
また、磁極片３０は、環状のフレーム部において絶縁部１０の第１嵌合部１８に嵌合固定されるため、その軸方向に第１、第２絶縁部１０，２０に覆われ安定固定させるだけでなく、半径方向にも安定する。
このようにして、第１凸板１７の変形を防止するだけではなく、ケイ素鋼板からなる磁極片３０を第１絶縁部１０内に安定固定し、従来技術の騒音の発生、およびエナメル線の破断の問題を改善する。
【００２１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２２】
【図１】本考案の好適な実施例の立体図である。
【図２】本考案の好適な実施例の他の視角からの立体図である。
【図３】本考案の好適な実施例の第１絶縁部と磁極片を組み合わせた立体分解図である。
【図４】本考案の好適な実施例の第１絶縁部と磁極片を組み合わせた立体組み立て図である。
【図５】本考案の好適な実施例の第１絶縁部と磁極片を組み合わせた正面図である。
【図６】本考案の好適な実施例を第２絶縁部と組み立てた立体分解図である。
【図７】本考案の好適な実施例を第２絶縁部と組み立てた立体組み立て図である。
【図８】本考案の好適な実施例を第２絶縁部と組み立てた後の磁極片を組み合わせた正面図である。
【図９】本考案の好適な実施例のエナメル線を巻き付けた後に回路板に引っ掛ける立体図である。
【図１０】図９の他の視角からの立体図である。
【図１１】本考案の好適な実施例のエナメル線を巻き付けた後に回路板に引っ掛ける断面図である。
【符号の説明】
【００２３】
１０ 第１絶縁部
１１ 第１主体
１１１  第１孔
１２ 弾性係合片
１３ 溝
１４ 固定柱
１５ 第１延伸板
１６ 第１外環板
１６１ 隙間
１７ 第１凸板
１７１ 収容凹部
１８ 第1嵌合部
１９ 第２凸板
２０ 第２絶縁部
２１ 第２主体
２２ 第２孔
２３ 第２延伸板
２４ 第２外環板
２４１ 隙間
２５ 第３凸板
２５１ 第２収容凹部
２６ 第４凸板
３０ 磁極片
３１ 極柱
３２ ホイール部
３３ 極面
４０ エナメル線
５０ 回路板
５１ キャップ孔
５２ 固定凹溝
【図１】
0003127313.tif 000003
【図２】
0003127313.tif 000004
【図３】
0003127313.tif 000005
【図４】
0003127313.tif 000006
【図５】
0003127313.tif 000007
【図６】
0003127313.tif 000008
【図７】
0003127313.tif 000009
【図８】
0003127313.tif 000010
【図９】
0003127313.tif 000011
【図１０】
0003127313.tif 000012
【図１１】
0003127313.tif 000013